(57)【要約】【課題】容器洗浄機のメンテナンス性を向上することができる洗浄装置を提供する。【解決手段】洗浄装置１は、容器Ｍと容器を載せるための台車Ｃを洗浄する洗浄装置であって、容器Ｍを搬送方向Ｘに搬送しながら洗浄して、洗浄済みの容器Ｍを乾燥する容器洗浄機３と、容器洗浄機３の下部に配置されて、台車Ｃを搬送方向Ｘに搬送しながら洗浄して、洗浄済みの台車Ｃの水切りをする台車洗浄機１００を備え、容器洗浄機３は、容器Ｍを搬送方向Ｘに搬送する容器搬送手段としての容器搬送コンベア６Ｃと、容器Ｍに洗浄液を供給して容器Ｍを洗浄した後の洗浄液を回収する容器洗浄タンク１１，１２と、容器Ｍにすすぎ液を供給する容器すすぎタンク１３を有し、容器洗浄タンク１１，１２と容器すすぎタンク１３が、容器搬送手段としての容器搬送コンベア６Ｃの側部に、配置されている。【選択図】図１
2018158308.tif 000002
【特許請求の範囲】
【請求項１】
容器と前記容器を載せるための台車を洗浄する洗浄装置であって、
前記容器を搬送方向に搬送しながら洗浄して、洗浄済みの前記容器を乾燥する容器洗浄機と、
前記容器洗浄機の下部に配置されて、前記台車を前記搬送方向に搬送しながら洗浄して、洗浄済みの前記台車の水切りをする台車洗浄機と、を備え、
前記容器洗浄機は、
前記容器を前記搬送方向に搬送する容器搬送手段と、
前記容器に洗浄液を供給する容器洗浄タンクと、
前記容器にすすぎ液を供給する容器すすぎタンクと、を有し、
前記容器洗浄タンクと前記容器すすぎタンクが、前記容器搬送手段の側部に、配置されていることを特徴とする洗浄装置。
【請求項２】
前記容器洗浄タンク内の前記洗浄液と、前記容器すすぎタンク内の前記すすぎ液は、それぞれ蒸気により昇温され、
前記容器洗浄機は、前記容器洗浄タンク内からの昇温された前記洗浄液を回収する排水タンクを有し、
前記台車洗浄機は、前記台車を洗浄するための台車用の洗浄液を溜める台車洗浄タンクを有し、
前記排水タンク内を通過する水が前記排水タンク内の前記昇温された前記洗浄液により昇温され、前記昇温された前記水は、前記台車洗浄機において前記台車をすすぐためのすすぎ液として用いられることを特徴とする請求項１に記載の洗浄装置。
【請求項３】
前記台車洗浄機は、洗浄しようとする前記台車を前記搬送方向に搬送する第1台車搬送機構と、前記第1台車搬送機構により搬送された前記台車を洗浄して水切りをする台車洗浄手段と、前記台車洗浄手段により前記洗浄と前記水切り済みの前記台車を前記搬送方向に搬出する第２台車搬送機構と、を備え、
前記台車洗浄手段は、前記台車洗浄タンクを有し、前記台車洗浄手段は、前記台車洗浄機において前記台車の前記搬送方向に関して中間の位置に配置されていることを特徴とする請求項２に記載の洗浄装置。
【請求項４】
前記台車洗浄手段では、前記すすぎ液が前記台車洗浄タンク内に前記洗浄液として溜まり、この溜まった前記洗浄液を、前記台車に吹き付けて洗浄し、前記すすぎ液を前記台車に吹き付けてすすぎ、すすぎ済みの前記台車を水切りすることを特徴とする請求項３に記載の洗浄装置。
【請求項５】
容器と前記容器を載せるための台車を洗浄する洗浄装置であって、
前記容器を搬送方向に搬送しながら洗浄して、洗浄済みの前記容器を乾燥する容器洗浄機と、
前記容器洗浄機の下部に配置されて、前記台車を前記搬送方向に搬送しながら洗浄して、洗浄済みの前記台車の水切りをする台車洗浄機と、を備え、
前記容器洗浄機は、
前記容器を前記搬送方向に搬送する容器搬送手段と、
前記容器に洗浄液を供給する容器洗浄タンクと、
前記容器にすすぎ液を供給する容器すすぎタンクと、を有し、
前記容器洗浄タンクと前記容器すすぎタンクが、前記容器搬送手段の側部に、配置され、
前記台車洗浄機は、洗浄しようとする前記台車を前記搬送方向に搬送する第1台車搬送機構と、前記第1台車搬送機構により搬送された前記台車を洗浄して水切りをする台車洗浄手段と、前記台車洗浄手段により前記洗浄と前記水切り済みの前記台車を前記搬送方向に搬出する第２台車搬送機構と、を備え、
前記台車洗浄手段は、前記台車洗浄機における前記台車の搬送方向に関して中間の位置に配置されていることを特徴とする洗浄装置。
【請求項６】
容器と前記容器を載せるための台車を洗浄する洗浄装置であって、
前記容器を搬送方向に搬送しながら洗浄して、洗浄済みの前記容器を乾燥する容器洗浄機と、
前記容器洗浄機の下部に配置されて、前記台車を前記搬送方向に搬送しながら洗浄して、洗浄済みの前記台車の水切りをする台車洗浄機と、を備え、
前記容器洗浄機は、
前記容器を前記搬送方向に搬送する容器搬送手段と、
前記容器に洗浄液を供給する容器洗浄タンクと、
前記容器にすすぎ液を供給する容器すすぎタンクと、を有し、
前記容器洗浄タンクと前記容器すすぎタンクが、前記容器搬送手段の側部に、配置され、
前記台車洗浄機は、洗浄しようとする前記台車を前記搬送方向に搬送する第1台車搬送機構と、前記第1台車搬送機構により搬送された前記台車を洗浄して水切りをする台車洗浄手段と、前記台車洗浄手段により前記洗浄と前記水切り済みの前記台車を前記搬送方向に搬出する第２台車搬送機構と、を備え、
前記台車洗浄手段は、前記台車洗浄機における前記台車の搬送方向に関して中間の位置よりも、前記台車を前記第１台車搬送機構に投入するための投入口寄りの位置に配置されていることを特徴とする洗浄装置。
【発明の詳細な説明】
【技術分野】
【０００１】
本発明は、容器と台車を洗浄するための洗浄装置に関する。
【背景技術】
【０００２】
食品容器と台車を洗浄できる洗浄装置が、特許文献１に開示されている。この洗浄装置は、上段には容器洗浄機を配置し、下段には台車洗浄機を配置している。
【０００３】
上段の容器洗浄機では、食品容器を洗浄するための第１洗浄部と第２洗浄部と、洗浄した食品容器をすすぐためのすすぎ洗浄部が、容器搬送機構の上部において容器搬送方向に沿って並べて配置されている。容器洗浄機の容器乾燥手段は、食品容器の搬送方向についてすすぎ洗浄部の前側に配置されている。また、下段の台車洗浄機は、台車を搬送する台車搬送機構と、搬送される台車を洗浄する台車洗浄手段を備える。台車洗浄手段は、台車を取り出す位置付近に配置され、台車の搬送方向について上段の最も前側に配置されている容器乾燥手段に対応して配置されている。
【先行技術文献】
【特許文献】
【０００４】
【特許文献１】特開２０１４−１９３４５３号公報
【発明の概要】
【発明が解決しようとする課題】
【０００５】
上述した従来の洗浄装置では、次のような問題がある。
【０００６】
上段の容器洗浄機では、第１洗浄部と第２洗浄部とすすぎ洗浄部が、容器搬送機構の上部において、容器搬送方向に沿って並べて配置されている。このため、作業者が、第１洗浄部と第２洗浄部とすすぎ洗浄部を点検整備する作業や、洗浄タンクやすすぎタンクの清掃作業をする際には、容器搬送機構の存在が、点検整備作業や清掃作業の邪魔になって、各作業が容易に行えない。従って、上段の容器洗浄機のメンテナンス性が良くない。
【０００７】
また、下段の台車洗浄機では、台車洗浄手段が、台車を取り出す位置付近に配置されている。このため、台車を台車洗浄手段により洗浄した後に、台車搬送機構が洗浄した台車を搬送させながら常温で洗浄水の水切りを行うための搬送長さを確保することができない。このため、台車の自然乾燥が不十分となり水切りが終わる前に、台車は台車洗浄機の外に搬出されてしまう。
【０００８】
本発明は、上記に鑑みてなされたもので、その目的とするところは、容器洗浄機のメンテナンス性を向上することができる洗浄装置を提供することにある。
【０００９】
また、本発明の目的は、容器洗浄機のメンテナンス性を向上することができるとともに、洗浄した台車の水切りと自然乾燥を確実に行うことができ、衛生的な運用ができる洗浄装置を提供することにある。
【課題を解決するための手段】
【００１０】
上記課題を達成するため、請求項１に記載の洗浄装置は、容器と前記容器を載せるための台車を洗浄する洗浄装置であって、前記容器を搬送方向に搬送しながら洗浄して、洗浄済みの前記容器を乾燥する容器洗浄機と、前記容器洗浄機の下部に配置されて、前記台車を前記搬送方向に搬送しながら洗浄して、洗浄済みの前記台車の水切りをする台車洗浄機と、を備え、前記容器洗浄機は、前記容器を前記搬送方向に搬送する容器搬送手段と、前記容器に洗浄液を供給して前記容器を洗浄した後の前記洗浄液を回収する容器洗浄タンクと、前記容器にすすぎ液を供給する容器すすぎタンクと、を有し、前記容器洗浄タンクと前記容器すすぎタンクが、前記容器搬送手段の側部に、配置されていることを特徴とする。
【００１１】
請求項１に記載の洗浄装置では、容器洗浄機は、容器を搬送方向に搬送する容器搬送手段と、容器に洗浄液を供給して容器を洗浄した後の洗浄液を回収する容器洗浄タンクと、容器にすすぎ液を供給する容器すすぎタンクと、を有し、容器洗浄タンクと容器すすぎタンクが、容器搬送手段の側部に、配置されている。このため、作業者が容器洗浄タンクと容器すすぎタンクとその周囲を点検整備作業する際に、容器搬送手段を避けて行え、容器搬送手段の存在が作業の邪魔にならない。このため、容器洗浄タンクと容器すすぎタンクとその周囲を点検整備作業が容易に行える。従って、容器洗浄機のメンテナンス性を向上することができる。
【００１２】
請求項２に記載の洗浄装置は、前記容器洗浄タンク内の前記洗浄液と、前記容器すすぎタンク内の前記すすぎ液は、それぞれ蒸気により昇温され、前記容器洗浄機は、前記容器洗浄タンク内からの昇温された前記洗浄液を回収する排水タンクを有し、前記台車洗浄機は、前記台車を洗浄するための台車用の洗浄液を溜める台車洗浄タンクを有し、前記排水タンク内を通過する水が前記排水タンク内の前記昇温された前記洗浄液により昇温され、前記昇温された前記水は、前記台車洗浄機において前記台車をすすぐためのすすぎ液として用いられることを特徴とする。
【００１３】
請求項２に記載の洗浄装置では、容器洗浄機側の排水タンク内を通過する水が排水タンク内の昇温された洗浄液により昇温され、昇温された水は、台車洗浄機において台車をすすぐためのすすぎ液として用いられる。このため、容器洗浄機における昇温された洗浄液の排熱を、台車をすすぐためのすすぎ液の昇温に用いることができる。従って、台車は、昇温されたすすぎ液とこのすすぎ液を利用した洗浄液を用いて、効率よく洗浄とすすぎを行うことができる。
【００１４】
請求項３に記載の洗浄装置では、前記台車洗浄機は、洗浄しようとする前記台車を前記搬送方向に搬送する第1台車搬送機構と、前記第1台車搬送機構により搬送された前記台車を洗浄して水切りをする台車洗浄手段と、前記台車洗浄手段により前記洗浄と前記水切り済みの前記台車を前記搬送方向に搬出する第２台車搬送機構と、を備え、前記台車洗浄手段は、前記台車洗浄タンクを有し、前記台車洗浄手段は、前記台車洗浄機において前記台車の前記搬送方向に関して中間の位置に配置されていることを特徴とする。
【００１５】
請求項３に記載の洗浄装置では、台車洗浄手段は、第1台車搬送機構と第２台車搬送機構の間に位置され、しかも台車洗浄手段は、台車洗浄タンクを有し、台車洗浄手段は、台車洗浄機における台車の搬送方向に関して中間の位置に配置されている。このため、台車洗浄タンクにおいて水切り済みの台車は、第２台車搬送機構により搬出される間に、搬送により空気に触れることで自然乾燥させることができる。このため、洗浄した台車の水切りと自然乾燥を確実に行うことができ、水切り済みの台車の乾燥効率を上げることができる。また、第２台車搬送機構により搬出された乾燥済みの台車は、直ちに段積みすることができる。
【００１６】
請求項４に記載の洗浄装置は、前記台車洗浄手段では、前記すすぎ液が前記台車洗浄タンク内に前記洗浄液として溜まり、この溜まった前記洗浄液を、前記台車に吹き付けて洗浄し、前記すすぎ液を前記台車に吹き付けてすすぎ、すすぎ済みの前記台車を水切りすることを特徴とする。
【００１７】
請求項４に記載の洗浄装置は、昇温された水を台車のすすぎ液として使用してから、台車の洗浄液として使用することができる。従って、台車洗浄機の台車洗浄手段は、昇温された水を有効に使用して、効率よく台車を洗浄してすすぎ、そして水切りすることができる。
【００１８】
請求項５に記載の洗浄装置は、容器と前記容器を載せるための台車を洗浄する洗浄装置であって、前記容器を搬送方向に搬送しながら洗浄して、洗浄済みの前記容器を乾燥する容器洗浄機と、前記容器洗浄機の下部に配置されて、前記台車を前記搬送方向に搬送しながら洗浄して、洗浄済みの前記台車の水切りをする台車洗浄機と、を備え、前記容器洗浄機は、前記容器を前記搬送方向に搬送する容器搬送手段と、前記容器に洗浄液を供給する容器洗浄タンクと、前記容器にすすぎ液を供給する容器すすぎタンクと、を有し、前記容器洗浄タンクと前記容器すすぎタンクが、前記容器搬送手段の側部に、配置され、前記台車洗浄機は、洗浄しようとする前記台車を前記搬送方向に搬送する第1台車搬送機構と、前記第1台車搬送機構により搬送された前記台車を洗浄して水切りをする台車洗浄手段と、前記台車洗浄手段により前記洗浄と前記水切り済みの前記台車を前記搬送方向に搬出する第２台車搬送機構と、を備え、前記台車洗浄手段は、前記台車洗浄機における前記台車の搬送方向に関して中間の位置に配置されていることを特徴とする。
【００１９】
請求項５に記載の洗浄装置では、容器洗浄機は、容器を搬送方向に搬送する容器搬送手段と、容器に洗浄液を供給して容器を洗浄した後の洗浄液を回収する容器洗浄タンクと、容器にすすぎ液を供給する容器すすぎタンクと、を有し、容器洗浄タンクと容器すすぎタンクが、容器搬送手段の側部に、配置されている。このため、作業者が容器洗浄タンクと容器すすぎタンクとその周囲を点検整備する際に、容器搬送手段を避けて行え、容器搬送手段が作業の邪魔にならないので、容器洗浄タンクと容器すすぎタンクとその周囲を点検整備作業が容易に行える。従って、容器洗浄機のメンテナンス性を向上することができる。
【００２０】
しかも、台車洗浄手段は、台車洗浄機における台車の搬送方向に関して中間の位置に配置されている。このため、台車洗浄タンクにおいて水切り済みの台車は、第２台車搬送機構により搬出される間に、搬送により空気に触れることで自然乾燥させることができる。このため、洗浄した台車の水切りと自然乾燥を確実に行うことができ、衛生的な運用ができ、水切り済みの台車の乾燥効率を上げることができる。また、第２台車搬送機構により搬出された乾燥済みの台車は、直ちに段積みすることができる。
【００２１】
請求項６に記載の洗浄装置は、容器と前記容器を載せるための台車を洗浄する洗浄装置であって、前記容器を搬送方向に搬送しながら洗浄して、洗浄済みの前記容器を乾燥する容器洗浄機と、前記容器洗浄機の下部に配置されて、前記台車を前記搬送方向に搬送しながら洗浄して、洗浄済みの前記台車の水切りをする台車洗浄機と、を備え、前記容器洗浄機は、前記容器を前記搬送方向に搬送する容器搬送手段と、前記容器に洗浄液を供給する容器洗浄タンクと、前記容器にすすぎ液を供給する容器すすぎタンクと、を有し、前記容器洗浄タンクと前記容器すすぎタンクが、前記容器搬送手段の側部に、配置され、前記台車洗浄機は、洗浄しようとする前記台車を前記搬送方向に搬送する第1台車搬送機構と、前記第1台車搬送機構により搬送された前記台車を洗浄して水切りをする台車洗浄手段と、前記台車洗浄手段により前記洗浄と前記水切り済みの前記台車を前記搬送方向に搬出する第２台車搬送機構と、を備え、前記台車洗浄手段は、前記台車洗浄機における前記台車の搬送方向に関して中間の位置よりも、前記台車を前記第１台車搬送機構に投入するための投入口寄りの位置に配置されていることを特徴とする。
【００２２】
請求項６に記載の洗浄装置では、第２台車搬送機構が水切り済みの台車を搬送できる距離が、さらに稼げる。このため、水切り済みの台車は、より長い搬送距離を得た第２台車搬送機構により搬出される間に、搬送により空気により長い時間触れることで自然乾燥させることができる。このため、洗浄した台車の水切りと自然乾燥をより確実に行うことができ、衛生的な運用ができ、水切り済みの台車の乾燥効率をさらに上げることができる。第２台車搬送機構により搬出された乾燥済みの台車は、直ちに段積みすることができる。
【発明の効果】
【００２３】
本発明によれば、容器洗浄機のメンテナンス性を向上することができる洗浄装置を提供することにある。
【００２４】
また、本発明の目的は、容器洗浄機のメンテナンス性を向上することができるとともに、洗浄した台車の水切りと自然乾燥を確実に行うことができ、衛生的な運用ができる洗浄装置を提供することにある。
【図面の簡単な説明】
【００２５】
【図１】本発明の実施形態の洗浄装置を示し、洗浄装置の容器洗浄機を示しているが、洗浄装置の台車洗浄機の図示を省略している正面図である。
【図２】図１の洗浄装置の容器洗浄機と台車洗浄機を示す正面図である。
【図３】洗浄装置の平面図である。
【図４】図３において矢印Ｎから見た架台と第１容器洗浄タンクを示す側面図である。
【図５】図面の簡単化のために、洗浄装置の容器洗浄機の配管系統を詳しく示し、洗浄装置の台車洗浄機の配管系統を省略して示す図である。
【図６】図面の簡単化のために、洗浄装置の容器洗浄機の配管系統を省略して示し、洗浄装置の台車洗浄機の配管系統を詳しく示す図である。
【図７】台車Ｃとこの台車Ｃの上に複数段積み重ねられた容器Ｍの例を示す図である。
【図８】容器Ｍの洗浄と乾燥処理と、台車Ｃの洗浄と水切り処理と自然乾燥を示す洗浄装置の運転フロー図である。
【発明を実施するための形態】
【００２６】
以下、図面を用いて、本発明を実施するための形態(以下、実施形態と称する)を説明する。
【００２７】
図１は、本発明の実施形態の洗浄装置を示し、洗浄装置１の容器洗浄機３を示しているが、洗浄装置１の台車洗浄機１００の図示を省略している正面図である。図２は、図１の洗浄装置１の容器洗浄機３と台車洗浄機１００を示す正面図である。図３は、洗浄装置１の平面図である。
【００２８】
（洗浄装置１の全体構成）
図１から図３に示す洗浄装置１は、図２に示す容器Ｍと、複数の容器Ｍを重ねた状態で載せて搬送するための台車Ｃのいずれか一方を洗浄するか、あるいは両方とも同時並行して洗浄することができる。
【００２９】
容器Ｍの種類としては、例えばコンビニエンスストア、スーパーマーケット、食品製造工場等で使用される各種の形状やサイズを有する容器を含む。洗浄対象物であるこの容器Ｍは、例えばプラスチック製の容器であり、例えば上部が開口した四角形の箱型であり、容器Ｍは、トレイ、パレット、コンテナ等とも呼ばれ、複数の容器Ｍは積み重ねることができる。台車Ｃは、例えば複数の容器Ｍを重ねた状態で載せて搬送するために複数のコロを有する。
【００３０】
図１から図３に示す洗浄装置１は、架台２と、容器洗浄機３と、台車洗浄機１００を備えている。容器洗浄機３は、架台２の上段側に配置され、台車洗浄機１００は、この容器洗浄機３の下部である架台２の下段側に配置されている。容器Ｍと台車Ｃの搬送方向Ｘは、同一方向であり、図1から図３において、右側から左側に向いた方向である。図１と図２に示す洗浄装置１は、容器Ｍと台車Ｃの搬送方向Ｘに関して前側をＦで示し、後側をＢで示している。
【００３１】
容器洗浄機３は、容器Ｍを搬送方向Ｘに沿って搬送することで、容器Ｍの洗浄と、洗浄した容器Ｍの水切りと、熱風による乾燥を行う。台車洗浄機１００は、台車Ｃを搬送方向Ｘに沿って搬送することで、台車Ｃの洗浄と、洗浄した台車Ｃの水切りと、搬送に伴う自然乾燥を行う。
【００３２】
この容器洗浄機３による容器Ｍの洗浄と洗浄した容器Ｍの水切りと乾燥作業は、台車洗浄機１００による台車Ｃの洗浄と洗浄した台車Ｃの水切りと自然乾燥作業と同時に行ったり、あるいは異なる時間に行うことができる。
【００３３】
（洗浄装置１の容器洗浄機３の構成）
まず、図１から図３を参照して、容器洗浄機３を説明する
図１と図２に示すように、容器洗浄機３は、上述したように、洗浄装置１の架台２の上段において、搬送方向Ｘに沿って後側Ｂから前側Ｆにかけて配置されている。このため、容器洗浄機３は、台車洗浄機１００の上側において、台車洗浄機１００と平行に配置されている。
【００３４】
図１と図３に示すように、容器洗浄機３は、概略的には、容器洗浄手段４と、容器乾燥手段５を備える。容器洗浄手段４と容器乾燥手段５は、搬送方向Ｘに沿って直列に配置されている。
【００３５】
図1に示すように、容器洗浄手段４の容器洗浄工程は、後側Ｂから始まって搬送方向Ｘに沿って設けられており、容器洗浄手段４の容器洗浄工程の長さは、例えば容器洗浄機３の搬送方向Ｘに関する工程全長の約２／３程度になっている。
【００３６】
また、図１に示すように、容器乾燥手段５の容器乾燥工程は、容器洗浄手段４の容器洗浄工程から前側Ｆにかけて搬送方向Ｘに沿って設けられており、例えば容器乾燥手段５の容器乾燥工程の長さは、容器洗浄機３の搬送方向Ｘに関する工程全長の約１／３程度である。
【００３７】
図１と図３に示すように、容器洗浄手段４は、容器投入テーブル６Ａと、容器排出テーブル６Ｂと、容器搬送手段としての容器搬送コンベア６Ｃと、第１容器洗浄タンク１１と、第２容器洗浄タンク１２と、容器すすぎタンク１３と、蒸気ヒータ１４等を有する。
【００３８】
図1の容器搬送コンベア６Ｃは、容器投入テーブル６Ａから容器排出テーブル６Ｂまで配置されている。この容器搬送コンベア６Ｃは、搬送モータ１７を駆動することで、図２に示す容器Ｍを搬送方向Ｘに沿って搬送する。
【００３９】
図1に示すように、第１容器洗浄タンク１１の付近には、第１容器洗浄ポンプ１１Ａと第１容器洗浄ノズル１１Ｂが配置されている。第２容器洗浄タンク１２の付近には、第２容器洗浄ポンプ１２Ａと第２容器洗浄ノズル１２Ｂが配置されている。第１容器洗浄ノズル１１Ｂは、洗剤を含む温水の洗浄液を、搬送されてくる容器Ｍに対して噴射して洗浄する。第２容器洗浄ノズル１２Ｂは、温水のみの洗浄液を、搬送されてくる容器Ｍに対して噴射して洗浄する。
【００４０】
容器すすぎタンク１３の付近には、容器すすぎポンプ１３Ａと容器すすぎノズル１３Ｂが配置されている。容器すすぎノズル１３Ｂは、温水のみのすすぎ液１３Ｌ（後で説明に用いられる図５を参照）を、搬送されてくる洗浄済みの容器Ｍに対して噴射して容器Ｍをすすぐ。
【００４１】
その他に、図1に示すように、第１容器洗浄ポンプ１１Ａの付近には、排水排熱装置１５が配置されている。第１容器洗浄ノズル１１Ｂの付近には、洗剤装置１６が配置されており、洗剤装置１６内には洗剤１６Ａが収容されている。この洗剤１６Ａは、第1容器洗浄タンク１１へ供給させて用いる。
【００４２】
図1に示すように、容器乾燥手段５は、蒸気ヒータ１４と、容器乾燥ブロア１４Ａと、容器乾燥ノズル１４Ｂを有している。蒸気ヒータ１４の下部には、搬送モータ１７と制御部２００が配置されている。空気は、蒸気ヒータ１４により加熱されて、加熱された空気は、容器乾燥ブロア１４Ａの駆動により容器乾燥ノズル１４Ｂから、すすぎ済みの容器Ｍに吹き付けられる。これにより、容器Ｍは乾燥される。
【００４３】
図４は、図３において矢印Ｎから見た架台２と第１容器洗浄タンク１１を示す側面図である。
【００４４】
図３と図４に示すように、容器洗浄機３の架台２が、搬送方向Ｘに沿って配置されている。この架台２の搬送方向Ｘに沿った側部には、側部配置領域部２０が設けられている。
【００４５】
図３に示すように、この側部配置領域部２０には、第１容器洗浄タンク１１と第２容器洗浄タンク１２と容器すすぎタンク１３等が配置されている。詳細には、この側部配置領域部２０には、第１容器洗浄タンク１１と第１容器洗浄ポンプ１１Ａと、第２容器洗浄タンク１２と第２容器洗浄ポンプ１２Ａと、容器すすぎタンク１３と容器すすぎポンプ１３Ａと、排水排熱装置１５が、配置されている。
【００４６】
言い換えれば、第１容器洗浄タンク１１と第１容器洗浄ポンプ１１Ａと、第２容器洗浄タンク１２と第２容器洗浄ポンプ１２Ａと、容器すすぎタンク１３と容器すすぎポンプ１３Ａと、排水排熱装置１５は、容器搬送コンベア６Ｃの上部の位置ではなく、搬送方向Ｘに沿って間隔をおいて直列に、床面Ｇに置かれた状態で配置されている。
【００４７】
これにより、容器搬送コンベア６Ｃが後側Ｂから前側Ｆまで配置されているにも関わらずに、作業者は、容器洗浄手段４の第１容器洗浄タンク１１と第１容器洗浄ポンプ１１Ａと、第２容器洗浄タンク１２と第２容器洗浄ポンプ１２Ａと、容器すすぎタンク１３と容器すすぎポンプ１３Ａと、排水排熱装置１５に対して、それぞれ容易に接近して必要な作業を行うことができる。
【００４８】
このため、作業者は、点検整備作業やタンクの清掃作業をする際に、第１容器洗浄タンク１１と第１容器洗浄ポンプ１１Ａと、第２容器洗浄タンク１２と第２容器洗浄ポンプ１２Ａと、容器すすぎタンク１３と容器すすぎポンプ１３Ａと、排水排熱装置１５の点検整備作業やタンク清掃作業等を容易に行うことができる。従って、容器洗浄機３のメンテナンス性を向上することができる。
【００４９】
これに対して、もし、第１容器洗浄タンク１１と第１容器洗浄ポンプ１１Ａと、第２容器洗浄タンク１２と第２容器洗浄ポンプ１２Ａと、容器すすぎタンク１３と容器すすぎポンプ１３Ａと、排水排熱装置１５が、容器搬送コンベア６Ｃの上部の位置に配置されていると、作業者は、それぞれの装置に容易に接近することができず、各装置の点検整備作業やタンク清掃作業等を容易に行うことができない。
【００５０】
（洗浄装置１の台車洗浄機１００の構成）
次に、図１から図３を参照して、台車洗浄機１００を説明する
図２に示すように、台車洗浄機１００は、上述したように、洗浄装置１の架台２の下段において、搬送方向Ｘに沿って前側Ｆから後側Ｂにかけて配置されている。従って、台車洗浄機３は、容器洗浄機３の下側において、容器洗浄機３とは間隔をおいて、容器洗浄機３と平行になるように、配置されている。
【００５１】
図２に示すように、台車洗浄機１００は、概略的には、台車洗浄手段１０１と、第１台車搬送機構としての後側Ｂの台車搬送機構（第１台車搬送機構）１０２と、第２台車搬送機構としての前側Ｆの台車搬送機構（第２台車搬送機構）１０３を備える。
【００５２】
後側Ｂの台車搬送機構１０２は、台車洗浄手段１０１に対して後側Ｂ寄りに配置され、前側Ｆの台車搬送機構１０３は、台車洗浄手段１０１に対して前側Ｆ寄りに配置されている。すなわち、台車洗浄手段１０１は、台車搬送機構１０２，１０３の間であって、前側Ｆと後側Ｂの中間の位置に配置されている。
【００５３】
後側Ｂの台車搬送機構１０２は、台車投入口１１４から台車洗浄手段１０１に至るまで、上がって行くようにして傾斜して配置されている。台車搬送機構１０２は、台車検出センサ１１０と、台車投入スロープ１１１と、台車傾斜コンベア１１２と、搬送モータ１１３を有する。台車検出センサ１１０は、例えば作業者が台車投入口１１４から足で台車Ｃを押して台車投入スロープ１１１に投入すると、この台車Ｃを検出して、図１の制御部２００に通知する。
【００５４】
これにより、制御部２００が指令をして、台車傾斜コンベア１１２の搬送モータ１１３が停止した状態から起動されることで、台車傾斜コンベア１１２は、台車Ｃを台車投入口１１４から台車洗浄手段１０１へ搬送する。このように、台車Ｃが投入されるときに搬送モータ１１３が起動されるようにしているのは、台車Ｃの投入数は、容器Ｍの投入数に比べて少ないために、台車Ｃが投入されないときには、搬送モータ１１３を停止させて、台車搬送機構１０２を省エネルギモードにするためである。
【００５５】
また、図２に示すように、前側Ｆの台車搬送機構１０３は、台車洗浄手段１０１から台車排出口１１５まで下がるようにして傾斜して配置されている。台車搬送機構１０３は、搬送方向Ｘについて比較的長い搬送距離Ｋを確保した台車取出しスロープ１１６を有する。この台車取出しスロープ１１６は、台車洗浄手段１０１において台車Ｃを洗浄して水切りした後に、台車Ｃを台車洗浄手段１０１から比較的長い搬送距離Ｋを経て、台車排出口１１５へ排出する。
【００５６】
この際に、水切りした台車Ｃが比較的長い搬送距離Ｋを確保した台車取出しスロープ１１６に沿って、台車Ｃの自重により搬送される。これにより、その搬送途中で水切り後の台車Ｃが空気に触れることにより、台車Ｃの自然乾燥を行うことができる。このため、水切りした台車Ｃは、搬送中により空気に触れることによる自然乾燥を確実に行いながら、台車排出口１１５へ導くことができる。
【００５７】
図２に示すように、台車洗浄手段１０１は、後側Ｂの台車搬送機構１０２と前側Ｆの台車搬送機構１０３の間に配置されている。台車洗浄手段１０１は、図１と図２に示すように、容器洗浄機３の第２容器洗浄タンク１２と容器すすぎタンク１３の配置位置に対応して配置されている。台車洗浄手段１０１は、架台２の搬送方向Ｘに関してほぼ中央位置に配置されている。すなわち、台車洗浄手段１０１は、図１に示す容器洗浄手段４の範囲に対応する領域に入っており、容器乾燥手段５の範囲から外れた位置に配置されている。
【００５８】
図２に示すように、台車洗浄手段１０１は、台車洗浄タンク１１９と、台車洗浄ノズル１２０と、台車すすぎノズル１２１と、台車洗浄ポンプ１２２と、台車水切りブロア１２３と、台車水切りノズル１２４と、台車搬送モータ１２５と、搬送コンベア１２６を有する。
【００５９】
台車洗浄ノズル１２０と台車すすぎノズル１２１と台車洗浄ポンプ１２２は、台車洗浄部を構成しており、台車水切りブロア１２３と台車水切りノズル１２４は、台車水切り部を構成している。
【００６０】
後側Ｂの台車搬送機構１０２の台車傾斜コンベア１１２により搬送されてきた台車Ｃは、台車洗浄タンク１１９内において、台車傾斜コンベア１１２から搬送コンベア１２６に移される。
【００６１】
搬送コンベア１１２は、台車搬送モータ１２５の駆動により、台車Ｃを台車洗浄タンク１１９内において搬送方向Ｘに沿って搬送する。台車Ｃは、搬送されながら、台車洗浄ノズル１２０からの洗浄液により洗浄処理された後に、台車すすぎノズル１２１からのすすぎ液によりすすぎ処理される。
【００６２】
すすぎ処理を行った台車Ｃは、台車水切りブロア１２３からの水切り用の常温の乾燥風を台車水切りノズル１２４から吹き付けられる。これにより、台車Ｃの水切り処理を行う。水切り処理後の台車Ｃは、搬送コンベア１２６から台車搬送機構１０３の台車取出しスロープ１１６に押し出されることで、台車Ｃは、傾斜した台車取出しスロープ１１６に沿って搬送されながら台車排出口１１５へ排出されるようになっている。
【００６３】
（洗浄装置１の配管系統）
次に、洗浄装置１の配管系統例を、図５と図６を参照して説明する。
【００６４】
図５は、図面の簡単化のために、容器洗浄機３の配管系統を詳しく示し、台車洗浄機１００の配管系統を省略して示している。これに対して、図６は、図面の簡単化のために、容器洗浄機３の配管系統を省略して示し、台車洗浄機１００の配管系統を詳しく示している。図５と図６では、一点鎖線で示す例えば水道水Ｗの給水系統ＷＬと、実線で示す蒸気Ｓの蒸気系統ＳＬを示している。
【００６５】
＜容器洗浄機３の配管系統＞
まず、図５を参照して、容器洗浄機３の配管系統について詳しく説明する。
【００６６】
給水源ＷＳは、給水系統ＷＬの配管３０１，３０２，３０３を通じて、第１容器洗浄タンク１１と、第２容器洗浄タンク１２に接続されている。また、給水源ＷＳからの配管３０４の熱交換部３０６は、排水排熱装置１５の排水タンク１５Ａ内に、熱交換用に配置されている。熱交換部３０６は、配管３０５を通じてすすぎタンク１３と分岐配管６００に接続されている。
【００６７】
これにより、水道水Ｗは、給水源ＷＳから第１容器洗浄タンク１１と、第２容器洗浄タンク１２に供給される。また、水道水Ｗは、排水タンク１５Ａ内の熱交換部３０６を通ることで、洗浄機１１Ｌ（１２Ｌ）の排熱を利用した熱交換により、例えば１０℃から２０℃に昇温される。これにより、昇温された水道水Ｗが、熱交換部３０６から配管３０５を通じて容器すすぎタンク１３内に供給できる。さらに、昇温された水道水Ｗが、熱交換部３０６から配管３０５と分岐配管６００を通じて、台車洗浄機１００側に供給できる。
【００６８】
図５に示す排水排熱装置１５の前後には、配管３０４，３０５内を通過する水道水Ｗの温度を測定して監視するための温度計１５Ｂ，１５Ｃが配置されており、温度測定結果は、制御部２００に送られる。
【００６９】
一方、蒸気供給源ＳＳの蒸気は、蒸気系統ＳＬの配管４０１，４０２，４０３，４０４を通じて、第１容器洗浄タンク１１と第２容器洗浄タンク１２とすすぎタンク１３に対して、加熱源として供給される。これにより、第１容器洗浄タンク１１と第２容器洗浄タンク１２とすすぎタンク１３に高温の蒸気を供給することで、第１容器洗浄タンク１１内の洗浄液１１Ｌと、第２容器洗浄タンク１２内の洗浄液１２Ｌと、すすぎタンク１３内のすすぎ液１３Ｌの各温度を、所定の温度にまで上げる。このため、昇温した洗浄液１１Ｌと洗浄液１２Ｌとすすぎ液１３Ｌを用いることで、容器Ｍの洗浄効率とすすぎ効率を向上できる。
【００７０】
図５に示す第１容器洗浄ノズル１１Ｂは、第１容器洗浄ポンプ１１Ａに接続されている。第１容器洗浄ポンプ１１Ａが制御部２００の指令により駆動されると、第１容器洗浄タンク１１内の洗浄液１１Ｌがストレーナ１１Ｓを介して吸い出されて、第１容器洗浄ノズル１１Ｂから、搬送されている容器Ｍに対して噴射される。
【００７１】
同様にして、第２容器洗浄ノズル１２Ｂは、第２容器洗浄ポンプ１２Ａに接続されている。第２容器洗浄ポンプ１２Ａが制御部２００の指令により駆動されると、第２容器洗浄タンク１２内の洗浄液１２Ｌがストレーナ１２Ｓを介して吸い出されて、第２容器洗浄ノズル１２Ｂから、搬送されている容器Ｍに対して噴射される。
【００７２】
そして、容器すすぎノズル１３Ｂは、容器すすぎポンプ１３Ａに接続されている。容器すすぎポンプ１３Ａが制御部２００の指令により駆動されると、容器すすぎタンク１３内のすすぎ液１３Ｌが吸い出されて、容器すすぎノズル１３Ｂから、搬送されている容器Ｍに対して噴射される。
【００７３】
図５に示すように、第１容器洗浄ノズル１１Ｂの下部には、排水口４５１が設けられ、第２容器洗浄ノズル１２Ｂの下部には、排水口４５２が設けられている。容器すすぎノズル１３Ｂの前後には、排水口４５３，４５４が設けられている。
【００７４】
排水口４５１にはストレーナ４５１Ｓが配置され、排水口４５１は第１容器洗浄タンク１１の開口部に対応して位置されている。同様にして、排水口４５２にはストレーナ４５２Ｓが配置され、排水口４５２は第２容器洗浄タンク１２の開口部に対応して位置されている。排水口４５３，４５４は、配管５００を介して、第２容器洗浄タンク１２内に接続されている。
【００７５】
第２容器洗浄タンク１２と第１容器洗浄タンク１１は、排水用の配管５０１により接続されており、第２容器洗浄タンク１２内を溢れた洗浄液１２Ｌは、第１容器洗浄タンク１１内に送られる。第１容器洗浄タンク１１内を溢れた洗浄液１１Ｌは、配管５０２を経て排水タンク１５Ａ内に排水される。なお、第２容器洗浄タンク１２内を溢れた洗浄液１２Ｌは、配管５０３を介して排水タンク１５Ａ内に、直接排水することもできる。
【００７６】
排水タンク１５Ａには、水道水Ｗよりも温度の高い、例えば６０℃程度の洗浄液１１Ｌ（１２Ｌ）が回収される。給水源ＷＳからの水道水Ｗは、排水タンク１５Ａ内に配置された熱交換部３０６を通ることで、排水タンク１５Ａ内に回収された洗浄液１１Ｌ（１２Ｌ）との間で排熱を利用した熱交換が行われる。
【００７７】
このため、水道水Ｗは、例えば１０℃から２０℃に昇温されて、昇温された水ＷＷとなる。昇温された水ＷＷは、配管３０６と分岐配管６００を介して、台車洗浄機１００側に送られる。これにより、昇温された水ＷＷを台車洗浄機１００側に送ることができるので、温度の低い水道水Ｗを台車洗浄機１００側に送る場合に比べて、次に説明する台車Ｃの洗浄の効率を上げることができる。
【００７８】
図５における第１容器洗浄ポンプ１１Ａと第２容器洗浄ポンプ１２Ａと容器すすぎポンプ１３Ａと容器乾燥ブロア１４Ａと搬送モータ１７の動作は、制御部２００の指令により行われる。
【００７９】
＜台車洗浄機１００の配管系統＞
次に、図６を参照して、台車洗浄機１００の配管系統について詳しく説明する。
【００８０】
図６に示すように、容器洗浄機３からの分岐配管６００は、台車すすぎノズル１２１に接続されている。分岐配管６００からのきれいな昇温された水ＷＷは、台車すすぎノズル１２１へ送られる。これにより、昇温された水ＷＷは、台車すすぎ液として台車すすぎノズル１２１から、搬送されてくる台車Ｃに噴射される。
【００８１】
台車Ｃのすすぎ処理に使用された水ＷＷは、台車洗浄タンク１１９内に溜まって、台車Ｃの洗浄液１１９Ｌとして再利用される。台車洗浄タンク１１９内に溜まった洗浄液１１９Ｌは、制御部２００からの指令による台車洗浄ポンプ１２２の駆動により、台車洗浄ノズル１２０から、搬送されてくる台車Ｃに噴射されることで、台車Ｃが洗浄処理される。
【００８２】
台車Ｃの洗浄処理とすすぎ処理が終わると、さらに台車Ｃは、水切り処理が行われる。すなわち、台車水切りブロア１２３が、制御部２００の指令により駆動されると、台車水切りノズル１２４からは常温の乾燥風が、台車Ｃに噴射される。このため、台車Ｃの水切り処理ができる。水切り処理が終わった台車Ｃは、搬送コンベア１２６から台車取出しスロープ１１６へ押し出される。これにより、台車Ｃは、搬送コンベア１２６により搬送方向Ｘについて比較的長い搬送距離Ｋを搬送されると、台車排出口１１５へ排出することができる。
【００８３】
（洗浄装置１の動作例）
次に、上述した洗浄装置１による容器Ｍと台車Ｃの洗浄動作の例を説明する。
【００８４】
図７は、台車Ｃと、この台車Ｃの上に複数段積み重ねられた容器Ｍの例を示している。図７に例示するように、複数の容器Ｍは、台車Ｃに積み重ねられた状態で搬送される。
【００８５】
図８は、容器Ｍの洗浄と乾燥処理と、台車Ｃの洗浄と水切り処理と台車Ｃの自然乾燥を示す洗浄装置１の運転フロー図である。図８に示すように、容器Ｍの洗浄と熱風による乾燥処理と、台車Ｃの洗浄と水切り処理と自然乾燥処理は、図1と図２に示す洗浄装置１において、好ましくは同時並行して洗浄することができる。
【００８６】
＜容器Ｍの洗浄と乾燥処理＞
作業者は、図７の洗浄対象である容器Ｍを台車Ｃから降ろして、各容器Ｍを、図1に示す容器洗浄手段４の容器搬送コンベア６Ｃの上に、間隔をおいて順次置く。
【００８７】
「図８の洗剤を含む温水の洗浄液１１Ｌを用いる洗剤温水循環洗浄ステップＳＰ１」
図５に示す容器搬送コンベア６Ｃは、容器Ｍを搬送方向Ｘに搬送すると、図５に示す容器Ｍは、第１容器洗浄ノズル１１Ｂにより噴射される洗剤を含む温水の洗浄液１１Ｌにより洗浄される。容器Ｍの洗浄に使った洗浄液１１Ｌは、排水口４５１を通じて第１容器洗浄タンク１１内に回収される。そして、第１容器洗浄タンク１１内で溢れた洗浄液１１Ｌは、配管５０２を介して排水タンク１５Ａに回収される。
【００８８】
「図８の温水のみの洗浄液１２Ｌを用いる温水循環洗浄ステップＳＰ２」
図５において、容器搬送コンベア６Ｃが、洗浄された容器Ｍをさらに搬送方向Ｘに搬送すると、洗浄された容器Ｍは、第２容器洗浄ノズル１２Ｂにより噴射される温水のみの洗浄液１２Ｌによりさらにきれいに洗浄される。容器Ｍの洗浄に使った洗浄液１２Ｌは、排水口４５２を通じて第２容器洗浄タンク１２内に回収される。第２容器洗浄タンク１２内で溢れた洗浄液１２Ｌは、配管５０１を介して第１容器洗浄タンク１１内に回収されて、洗浄液１１Ｌとして再利用される。
【００８９】
第１容器洗浄タンク１１内の洗浄液１１Ｌと第２容器洗浄タンク１２内の洗浄液１２Ｌは、蒸気供給源ＳＳからの蒸気により、水道水Ｗの温度に比べて所定の温度まで昇温されている。このため、容器Ｍは、洗剤を含む温水の洗浄液１１Ｌと温水のみの洗浄液１２Ｌにより、普通の水道水を用いるのに比べて、効率よくきれいに洗浄することができる。
【００９０】
「図８の温水のみのすすぎ液１３Ｌを用いる温水すすぎステップＳＰ３」
次に、図５において、容器搬送コンベア６Ｃは、洗浄された容器Ｍをさらに搬送方向Ｘに搬送する。洗浄された容器Ｍは、容器すすぎノズル１３Ｂにより噴射される温水のみのすすぎ液１３Ｌによりさらにきれいにすすぎ処理をする。容器すすぎタンク１３内の温水のみのすすぎ液１３Ｌは、蒸気供給源ＳＳからの蒸気により、水道水Ｗの温度に比べて所定の温度まで昇温されている。このため、容器Ｍは、昇温したすすぎ液１３Ｌにより、普通の水道水を用いるのに比べて、効率よくきれいにすすぐことができる。
【００９１】
「図８の熱風水切りステップＳＰ４」
図５において、容器搬送コンベア６Ｃは、すすぎ処理の終わった容器Ｍを搬送方向Ｘに搬送すると、蒸気ヒータ１４により加熱された熱風が、容器乾燥ブロア１４Ａにより容器Ｍに吹き付けられる。これにより、すすぎ処理の終わった容器Ｍの水切りと乾燥処理が行われ、その後、容器Ｍは、容器搬送コンベア６Ｃにより容器排出テーブル６Ｂまで送られて排出される。
【００９２】
このようにして、洗浄しようとする容器Ｍは、容器洗浄機３において、洗剤を含む温水の洗浄液１１Ｌと温水のみの洗浄液１２Ｌを用いて洗浄処理して、温水のみのすすぎ液３Ｌを用いてすすぎ処理をし、その後容器Ｍの水切りと乾燥処理を行うことができる。
【００９３】
＜台車Ｃの洗浄と水切り処理と台車Ｃの自然乾燥＞
一方、図２において、作業者は、台車Ｃを床面Ｇに置いて、例えば足で押すことで、台車Ｃを台車投入口１１４から台車傾斜コンベア１１２へ押し込む。これにより、台車検出センサ１１０は、台車Ｃを検出したら、図６に示す制御部２００は、洗浄ポンプ１２２と搬送モータ１１３と、搬送モータ１２５と、水切りブロア１２３を起動する。これにより、台車Ｃの投入数は、容器Ｍの投入数に比べて少ないために、台車Ｃが投入されないときには、洗浄ポンプ１２２と搬送モータ１１３と、搬送モータ１２５と、水切りブロア１２３を停止させることができる。このため、台車洗浄機１００の省エネルギ化が図れる。
【００９４】
「図８の常温水循環洗浄ステップＳＰ１１」
図６に示すように、給水源ＷＳからの水道水Ｗは、排水タンク１５Ａ内に配置された熱交換部３０６を通ることで、排水タンク１５Ａ内に回収された洗浄液１１Ｌ（１２Ｌ）との間で熱交換される。
【００９５】
このため、水道水Ｗは、例えば１０℃から昇温されて２０℃の昇温された常温の水ＷＷになる。昇温された常温の水ＷＷは、配管３０６と分岐配管６００を介して、台車洗浄機１００側に送られる。これにより、昇温された常温の水ＷＷを台車洗浄機１００側に送ることができるので、温度の低い水道水Ｗを台車洗浄機１００側に送る場合に比べて、次に説明する台車Ｃの洗浄の効率を上げることができる。
【００９６】
図６に示すように、洗浄対象である台車Ｃが、台車傾斜コンベア１１２により、搬送方向Ｘに沿って搬送コンベア１２６側に搬送されると、台車Ｃは台車洗浄ノズル１２０に達する。
【００９７】
図６に示す分岐配管６００から常温の水ＷＷが、台車すすぎノズル１２１から噴射されると、常温の水ＷＷが、台車洗浄タンク１１９内に、台車Ｃの洗浄液１１９Ｌとして溜まる。この溜まった常温の洗浄液１１９Ｌは、制御部２００が台車洗浄ポンプ１２２を駆動することで、台車洗浄ノズル１２０から台車Ｃに噴射され、使用した洗浄液１１９Ｌは台車洗浄タンク１１９内に溜まることから、洗浄液１１９Ｌは循環して洗浄に再利用することができる。これにより、台車Ｃは、循環される洗浄液１１９により洗浄される。
【００９８】
「図８の常温水すすぎステップＳＰ１２」
図６において、洗浄した台車Ｃは、搬送コンベア１２６により搬送方向Ｘに沿って搬送されて、台車すすぎノズル１２１から噴射される常温の水ＷＷであるすすぎ液１２１Ｌによりきれいにすすぎ処理される。
【００９９】
「図８の常温水切りＳＰ１３と常温による台車Ｃの自然乾燥ＳＰ１４」
さらに、図８の常温水切りＳＰ１３では、すすぎ処理された台車が、搬送コンベア１２６により搬送方向Ｘに沿って搬送されると、台車水切りノズル１２４から台車Ｃに常温の風が吹き付けられることにより、台車Ｃの水切り処理を行う。その後、常温による台車Ｃの自然乾燥ＳＰ１４では、台車Ｃは、搬送コンベア１２６により台車取出しスロープ１１６へ押し出される。
【０１００】
台車取出しスロープ１１６は、搬送方向Ｘに関する比較的長い搬送距離を有するスロープである。台車洗浄手段１０１において洗浄後に常温の風により水切りした後に、常温による台車Ｃの自然乾燥ＳＰ１４を行う。
【０１０１】
この常温による台車Ｃの自然乾燥ＳＰ１４では、台車洗浄手段１０１から台車排出口１１５へこの台車取出しスロープ１１６を用いて排出することから、その搬送途中で台車Ｃは空気に触れることによる自然乾燥を行うことができる。このため、水切りした台車Ｃは、搬送中により確実な自然乾燥を行いながら、台車排出口１１５へ導くことができる。自然乾燥した台車Ｃは、台車排出口１１５から取り出した後、すぐに積み上げることができるので、作業効率が向上する。
【０１０２】
本発明の実施形態の洗浄装置１は、容器Ｍと容器を載せるための台車Ｃを洗浄する洗浄装置である。洗浄装置１は、容器Ｍを搬送方向Ｘに搬送しながら洗浄して、洗浄済みの容器Ｍを乾燥する容器洗浄機３と、容器洗浄機３の下部に配置されて、台車Ｃを搬送方向Ｘに搬送しながら洗浄して、洗浄済みの台車Ｃの水切りをする台車洗浄機１００を備える。
【０１０３】
この容器洗浄機３は、容器Ｍを搬送方向Ｘに搬送する容器搬送手段としての容器搬送コンベア６Ｃと、容器Ｍに洗浄液を供給して容器Ｍを洗浄した後の洗浄液を回収する容器洗浄タンク１１，１２と、容器にすすぎ液を供給する容器すすぎタンク１３を有する。これらの容器洗浄タンク１１，１２と容器すすぎタンク１３が、容器搬送手段としての容器搬送コンベア６Ｃの側部に、配置されている。
【０１０４】
これにより、この洗浄装置１では、作業者が容器洗浄タンク１１，１２と容器すすぎタンク１３とその周囲を点検整備作業する際に、容器搬送コンベア６Ｃの横において行え、容器搬送手段としての容器搬送コンベア６Ｃの存在が作業の邪魔にならない。このため、作業者は、容器洗浄タンク１１，１２と容器すすぎタンク１３とその周囲を点検整備作業が容易に行える。従って、容器洗浄機３のメンテナンス性を向上することができる。
【０１０５】
洗浄装置１は、容器洗浄タンク１１，１２内の洗浄液と、容器すすぎタンク１３内のすすぎ液は、それぞれ蒸気により昇温され、容器洗浄機３は、容器洗浄タンク内からの昇温された洗浄液を回収する排水タンク１５Ａを有する。台車洗浄機１００は、台車Ｃを洗浄するための台車Ｃ用の洗浄液を溜める台車洗浄タンク１１９を有し、排水タンク１５Ａ内を通過する水Ｗが排水タンク１５Ａ内の昇温された洗浄液により昇温され、昇温された水ＷＷは、台車洗浄機１００において台車Ｃをすすぐためのすすぎ液として用いられる。
【０１０６】
これにより、容器洗浄機３における昇温された洗浄液の排熱を、台車Ｃをすすぐためのすすぎ液の昇温に用いることができる。従って、台車Ｃは、昇温されたすすぎ液とこのすすぎ液を利用した洗浄液を用いて、効率よく洗浄とすすぎを行うことができる。
【０１０７】
洗浄装置１では、台車洗浄機１００は、洗浄しようとする台車Ｃを搬送方向Ｘに搬送する第1台車搬送機構１０２と、第1台車搬送機構１０２により搬送された台車Ｃを洗浄して水切りをする台車洗浄手段１０１と、台車洗浄手段１０１により洗浄と水切り済みの台車Ｃを搬送方向Ｘに搬出する第２台車搬送機構１０３を備える。台車洗浄手段１００は、台車洗浄タンク１１９を有し、台車洗浄手段１０１は、台車洗浄機１００における台車Ｃの搬送方向Ｘに関して中間の位置に配置されている。
【０１０８】
これにより、台車洗浄タンク１１９において水切り済みの台車Ｃは、第２台車搬送機構１０３により搬出される間に、搬送により空気に触れることで自然乾燥させることができる。このため、洗浄した台車Ｃの水切りと自然乾燥を確実に行うことができ、水切り済みの台車Ｃの乾燥効率を上げることができる。第２台車搬送機構１０３により搬出された乾燥済みの台車Ｃは、直ちに段積みすることができる。
【０１０９】
洗浄装置１は、台車洗浄手段１０１では、すすぎ液１２１Ｌが台車洗浄タンク１１９内に洗浄液１１９Ｌとして溜まり、この溜まった洗浄液１１９Ｌを、台車Ｃに吹き付けて洗浄し、すすぎ液１２１Ｌを台車Ｃに吹き付けてすすぎ、すすぎ済みの台車Ｃを水切りする。
【０１１０】
これにより、昇温された水を台車Ｃのすすぎ液１２１Ｌとして使用してから、台車Ｃの洗浄液１１９Ｌとして使用することができる。従って、台車洗浄機１００の台車洗浄手段１０１は、昇温された水ＷＷを有効に使用して、効率よく台車Ｃを洗浄してすすぎ、そして水切りすることができる。
【０１１１】
また、洗浄装置１は、容器Ｍと容器Ｍを載せるための台車を洗浄する洗浄装置である。容器Ｍを搬送方向Ｘに搬送しながら洗浄して、洗浄済みの容器Ｘを乾燥する容器洗浄機３と、容器洗浄機３の下部に配置されて、台車Ｃを搬送方向Ｘに搬送しながら洗浄して、洗浄済みの台車Ｃの水切りをする台車洗浄機１００を備える。
【０１１２】
この容器洗浄機１００は、容器Ｍを搬送方向Ｘに搬送する容器搬送手段としての容器搬送コンベア６Ｃと、容器Ｍに洗浄液を供給して容器Ｍを洗浄した後の洗浄液を回収する容器洗浄タンク１１，１２と、容器Ｍにすすぎ液を供給する容器すすぎタンク１３を有する。容器洗浄タンク１１，１２と容器すすぎタンク１３が、容器搬送手段としての容器搬送コンベア６Ｃの側部に、配置されている。
【０１１３】
しかも、台車洗浄機１００は、洗浄しようとする台車Ｃを搬送方向Ｘに搬送する第1台車搬送機構１０２と、第1台車搬送機構１０２により搬送された台車Ｃを洗浄して水切りをする台車洗浄手段１０１と、台車洗浄手段１０１により洗浄と水切り済みの台車を搬送方向に搬出する第２台車搬送機構と、を備え、台車洗浄手段１０１は、台車洗浄機１００における台車Ｃの搬送方向Ｘに関して、中間の位置に配置されている。
【０１１４】
これにより、作業者が容器洗浄タンク１１，１２と容器すすぎタンク１３とその周囲を点検整備する際に、容器搬送手段としてのとしての容器搬送コンベア６Ｃが作業の邪魔にならないので、容器洗浄タンク１１，１２と容器すすぎタンク１３とその周囲を点検整備作業が容易に行える。従って、容器洗浄機３のメンテナンス性を向上することができる。
【０１１５】
しかも、台車Ｃを搬送方向Ｘに搬送する第1台車搬送機構１０２と、第1台車搬送機構１０２により搬送された台車Ｃを洗浄して水切りをする台車洗浄手段１０１と、台車洗浄手段１０１により洗浄と水切り済みの台車Ｃを搬送方向Ｘに搬出する第２台車搬送機構１０３を備える。台車洗浄手段１０１は、台車洗浄機１００における台車Ｃの搬送方向Ｘに関して中間の位置に配置されている。
【０１１６】
これにより、台車洗浄タンクにおいて水切り済みの台車Ｃは、第２台車搬送機構１０３により搬出される間に、搬送により空気に触れることで自然乾燥させることができる。このため、洗浄した台車Ｃの水切りと自然乾燥を確実に行うことができ、衛生的な運用ができ、水切り済みの台車Ｃの乾燥効率を上げることができる。第２台車搬送機構１０３により搬出された乾燥済みの台車Ｃは、直ちに段積みすることができる。
【０１１７】
また、本発明の別の実施形態としては、図２に示す台車洗浄手段１０１は、台車洗浄機１００における台車Ｃの搬送方向Ｘに関して、中間の位置よりも、台車Ｃを第１台車搬送機構１０２に投入する台車投入口１１４寄りの位置に配置されていても良い。
【０１１８】
これにより、第２台車搬送機構１０３が水切り済みの台車Ｃを搬送できる距離が、さらに稼げる。このため、水切り済みの台車Ｃは、より長い搬送距離を得た第２台車搬送機構１０３により搬出される間に、搬送により空気により長い時間触れることで自然乾燥させることができる。このため、洗浄した台車Ｃの水切りと自然乾燥をより確実に行うことができ、衛生的な運用ができ、水切り済みの台車Ｃの乾燥効率をさらに上げることができる。第２台車搬送機構１０３により搬出された乾燥済みの台車Ｃは、直ちに段積みすることができる。
【０１１９】
以上、実施形態を挙げて本発明を説明したが、各実施形態は一例であり、特許請求の範囲に記載される発明の範囲は、発明の要旨を逸脱しない範囲内で種々変更できるものである。
【０１２０】
例えば、図３に示すように、第１容器洗浄タンク１１と容器洗浄タンク１２と容器すすぎタンク１３が、容器搬送コンベア６Ｃの上部ではなく、側部配置領域部２０に配置されている。しかし、容器乾燥手段５も、容器搬送コンベア６Ｃの上部ではなく、側部配置領域部２０に配置しても良い。これにより、容器乾燥手段５の点検整備作業が、容器搬送コンベア６Ｃにより邪魔されることなく、容易に行える。
【符号の説明】
【０１２１】
１      洗浄装置
２      架台
３      容器洗浄機
４      容器洗浄手段
５      容器乾燥手段
６Ｃ    容器搬送コンベア（容器搬送手段）
１１    第１容器洗浄タンク
１１Ｂ  第１容器洗浄ノズル
１２    第２容器洗浄タンク
１２Ｂ  第２容器洗浄ノズル
１３    容器すすぎタンク
１３Ｂ  容器すすぎノズル
２０    側部配置領域部
１００  台車洗浄機
１０１  台車洗浄手段
１０２  後側の台車搬送機構（第１台車搬送機構）
１０３  前側の台車搬送機構（第２台車搬送機構）
１１９  台車洗浄タンク
１２０  台車洗浄ノズル
１２１  台車すすぎノズル
１２４  台車水切りノズル
Ｍ      容器
Ｃ      台車
Ｘ      搬送方向
【図１】
2018158308.tif 000003
【図２】
2018158308.tif 000004
【図３】
2018158308.tif 000005
【図４】
2018158308.tif 000006
【図５】
2018158308.tif 000007
【図６】
2018158308.tif 000008
【図７】
2018158308.tif 000009
【図８】
2018158308.tif 000010